(57)【要約】【課題】ユーザによるデータ入力を容易にするとともに、入力ミスに起因する誤送信を抑止することが可能な点字表示機能付携帯通信機器を提供すること。【解決手段】タッチパネル１５１からデータを入力可能な入力部１５と、入力されたデータを点字表示可能な表示部１６と、表示部１６に表示された入力内容を確定し入力されたデータを送信可能な状態とする文書確定部１８２と、確定された入力内容を外部機器へ送信する送信部１２１とを備えることを特徴としている。【選択図】図１
2009031469.tif 000002
【特許請求の範囲】
【請求項１】
タッチパネルからデータを入力可能な入力部と、
入力されたデータを点字表示可能な表示部と、
前記表示部に表示された入力内容を確定し入力されたデータを送信可能な状態とする確定部と、
前記確定された入力内容を外部へ送信する送信部と
を備えることを特徴とする点字表示機能付携帯通信機器。
【請求項２】
前記入力部は、点字又は文字の入力が可能であることを特徴とする請求項１に記載の点字表示機能付携帯通信機器。
【請求項３】
前記入力部は、ペン入力が可能であることを特徴とする請求項２に記載の点字表示機能付携帯通信機器。
【請求項４】
外部からデータを受信する受信部を備え、
前記表示部は前記受信部で受信したデータを点字表示可能であることを特徴とする請求項１から請求項３のいずれか一項に記載の点字表示機能付携帯通信機器。
【請求項５】
スピーカを備え、前記表示部に表示される内容を音声出力することを特徴とする請求項１から請求項４のいずれか一項に記載の点字表示機能付携帯通信機器。
【発明の詳細な説明】
【技術分野】
【０００１】
本願発明は、点字表示機能付携帯通信機器に関するものである。
【背景技術】
【０００２】
従来、視覚障害者用の携帯通信機器として、点字表示がされたボタンを押下することによりデータが入力され、その入力されたデータを外部に送信可能なものが知られている（例えば特許文献１参照）。
【特許文献１】特開２００６−１４５７００号公報
【発明の開示】
【発明が解決しようとする課題】
【０００３】
しかしながら、特許文献１に記載の携帯通信機器では、ボタンを押下して入力するものであったためデータの入力が面倒であった。また、特許文献１に記載の携帯通信機器では、入力したデータの内容確認ができないものであった。そのため、送信先や送信内容等の入力ミスがあった場合であってもミスに気づかずにそのまま送信してしまうおそれがあった。
【０００４】
本願発明は上記問題に鑑みなされたものであり、ユーザによるデータ入力を容易にするとともに、入力ミスに起因する誤送信を抑止することが可能な点字表示機能付携帯通信機器を提供することを目的とするものである。
【課題を解決するための手段】
【０００５】
以下、上記課題を解決するのに有効な手段等につき説明する。
【０００６】
上記課題を解決するために、請求項１記載の発明では、タッチパネルからデータを入力可能な入力部と、入力されたデータを点字表示可能な表示部と、前記表示部に表示された入力内容を確定し入力されたデータを送信可能な状態とする確定部と、前記確定された入力内容を外部へ送信する送信部とを備えることを特徴としている。
【０００７】
これによると、タッチパネルからデータ入力が可能であるので、データ入力が容易となる。また、入力されたデータは確定部により確定されないと送信可能な状態とならない。そのため、ユーザは表示部に表示された入力内容を確認した上で、入力内容を送信可能な状態とすることが可能となる。この結果、入力ミスによる送信内容の誤入力や誤った相手先への送信を抑止することが可能となる。
【０００８】
請求項２に記載の発明においては、前記入力部は、点字又は文字の入力が可能であることを特徴としている。点字又は文字の入力が可能であるので、視覚に障害があるユーザにとってもデータの入力が容易となる。
【０００９】
請求項３に記載の発明においては、前記入力部は、ペン入力が可能であることを特徴としている。ペン入力が可能であるので、データの入力が容易となる。
【００１０】
請求項４に記載の発明においては、外部からデータを受信する受信部を備え、前記表示部は前記受信部で受信したデータを点字表示可能であることを特徴としている。受信したデータを点字表示することが可能であるので、視覚に障害がある人でも受信したデータを確認することが可能となる。
【００１１】
請求項５に記載の発明においては、スピーカを備え、前記表示部に表示される内容を音声出力することを特徴としている。これにより、点字が読めない視覚障害者であっても使用することができ入力されたデータや受信したデータを確認することができる。
【発明の効果】
【００１２】
本発明の点字表示機能付携帯通信機器においては、データ入力が容易となるとともに、入力ミスによる送信内容の誤入力や誤った相手先への送信を抑止することが可能となる。
【発明を実施するための最良の形態】
【００１３】
以下、本発明に係る点字表示機能付携帯通信機器（以下、単に「携帯通信機器」という。）を具体化した一実施の形態を図面に基づいて説明する。図１は携帯通信機器の構成を示すブロック図であり、図２は携帯通信機器の平面図である。
【００１４】
本実施形態に係る携帯通信機器１０は、メールの送受信が可能なものであり、受信したメールの内容及びユーザが入力した内容を点字表示可能となっている。詳述すると、図１及び図２に示すように、携帯通信機器１０はアンテナ１１、無線部１２、データ処理部１３、記憶部１４、入力部１５、表示部１６、スピーカ１７及び操作部１８を含んで構成されている。
【００１５】
無線部１２は送信部１２１及び受信部１２２を有している。送信部１２１はデータ処理部１３から入力された情報をアンテナ１１を介して外部（無線基地局等）に送信する。また、受信部１２２はアンテナ１１を介して受信した情報をデータ処理部１３に出力する。
【００１６】
記憶部１４は、データ処理部１３から入力される情報を記憶し、また、既に記憶されている情報をデータ処理部１３に対して出力する。記憶部１４には辞書１４１及び点字変換表１４２が記憶されている。辞書１４１には、漢字に対応したひらがなが記憶され、点字変換表１４２には、通常の文字（ひらがな、カタカナ、英字、数字等）に対応した点字が記憶されている。すなわち、辞書１４１は、漢字をひらがなに変換するためのものであり、点字変換表１４２は、通常の文字を点字に変換するためのものである。記憶部１４にはデータ処理部１３を機能させるためのプログラム等も記憶されている。なお、記憶部１４に記憶されているプログラムや辞書等のデータは、パソコン等の設定用外部機器２０から読み込んで設定することが可能である。すなわち、設定用外部機器２０から設定用データを受信することにより、辞書やプログラム等を更新することができるようになっている。
【００１７】
入力部１５は入力用のタッチパネル１５１とタッチペン１５２を含んで構成されている。タッチペン１５２の先端部をタッチパネル１５１に接触させると、その接触位置が座標情報としてデータ処理部１３に入力されるようになっている。そして、タッチペン１５２をタッチパネル１５１に接触させることにより得られた座標情報により、点字又は文字を入力できるようになっている。なお、タッチパネル１５１から入力する際には、1文字の入力が完了したことを明確にして次の新規文字を入力可能とするために、1文字入力するたびに後述する文字確定部１８１を押下する。
【００１８】
表示部１６は、外部から受信した情報や入力部１５から入力された内容を点字表示するためのものであり、本実施形態では２０字の点字が表示可能となっている。点字は、３行２列（縦３ドット横２ドット）の計６点を一単位として構成され、これらの点の凹凸の組み合わせで一つの文字が表現される。点字を構成する各ドットは、表示部１６の表面に格子状に配列された可動片１６１により構成される。可動片１６１は磁性体で形成されており、電磁石の原理を用いて表示部１６の表面から突出及び引退可能とされている。そして、データ処理部１３からの指示にしたがって、突出・引退の制御がされて所望の点字表示が行われるようになっている。
【００１９】
スピーカ１７は、データ処理部１３からの指示にしたがって、外部から受信した情報や入力部１５から入力された内容を音声出力するためのものである。
【００２０】
操作部１８は各種の操作入力を行うためのものであり、文字確定部１８１、文書確定部１８２、送り部１８３、戻し部１８４、選択部１８５及び決定部１８６を有している。図２に示すように、操作部１８の各部１８１〜１８６は携帯通信機器１０上においては、ボタンにて構成されている。
【００２１】
文字確定部１８１は、上述したように、1文字の入力が完了したことを明確にして次の新規文字を入力可能とするためのものである。文書確定部１８２は入力部１５から入力された文書の内容を確定するためのものである。すなわち、入力部１５から入力されたデータはデータ処理部１３で点字変換されて表示部１６に点字表示されるとともにスピーカ１７から音声出力されるが、この状態では入力されたデータは未確定の状態であり、入力されたデータ等の送信等の後処理が不能な状態となっている。そして、データを入力した後に文書確定部１８２が押下されると、入力されたデータの後処理が可能な状態となる。
【００２２】
送り部１８３及び戻し部１８４は表示部１６に表示された内容を先送り又は前戻しさせて表示させるためのものである。送り部１８３がユーザにより押下された場合、送り部１８３はその押下情報をデータ処理部１３に対して出力する。そして、データ処理部１３は表示部１６に表示されている文書中に次の文字が存在するか否かを判断し、文書中に次の文字が存在する場合には、データ処理部１３は表示部１６に次の２０文字に対応した点字を表現させる。一方、文書中に次の文字が存在しない場合には、データ処理部１３は文書終了と判断し、文字の送り処理を行わない。戻し部１８４も送り部１８３と同様の処理により文書の前戻し処理を行う。
【００２３】
選択部１８５は、送受信のモードや、送信等の命令の選択を行うものである。また、決定部１８６は、選択ボタン１８５で選択されたモードや命令等の決定を行い、モードの切替や各種命令の実行をさせるためのものである。
【００２４】
次に、本実施形態に係る携帯通信機器１０の使用方法について説明する。
【００２５】
メールの受信を行う場合には、ユーザは選択部１８５で受信モードを選択し、決定部１８６でモードを決定する。データ処理部１３は、受信部１２２からメール着信を示す信号が入力されると、受信したメール文書を記憶部１４に記憶する。データ処理部１３はメール文書を構成する文字を、辞書１４１や点字変換表１４２を参照して点字に変換処理し、その変換結果（点字情報）の先頭から２０文字を表示部１６に点字表示する。その後、ユーザによる送り部１８３又は戻し部１８４の操作を受けて表示文字の先送り又は前戻し等を行う。また、スピーカ１７からは、受信したメール文書の内容が音声出力される。
【００２６】
メールの送信を行う場合には、ユーザは選択部１８５で送信モードを選択し、決定部１８６でモードを決定する。ユーザは入力部１５から送信相手先のメールアドレスや送信内容を入力する。この際、上述したように、入力した内容は表示部１６に表示されるとともにスピーカ１７から音声出力され、その後ユーザにより文書確定部１８２が押下されないとその後の処理が行えないようになっている。そのため、ユーザは入力を完了して送信処理等を行うためには入力内容を確定するために文書確定部１８２を押下しなければならない。文書確定部１８２が押下されて入力内容が確定されると入力された内容が送信可能となる。そして、選択部１８５により送信命令を選択し、決定部１８６によりその命令を決定することによりメール送信が実行される。
【００２７】
以上詳述した本実施の形態によれば、以下の優れた効果が得られる。
【００２８】
本実施形態に係る携帯通信機器１０では、外部から受信したメールを、表示部１６に点字表示することが可能となっている。これにより、視覚に障害がある人でも、受信したメールの内容を確認することが可能となる。
【００２９】
本実施形態では、タッチパネル１５１から入力することができるので、入力作業を容易に行うことが可能となる。特に本実施形態では、タッチペン１５２を用いることによりタッチパネル１５１から点字又は文字を入力することができる。これにより、視覚に障害がある人でも入力作業を容易に行うことが可能となる。
【００３０】
本実施形態では、スピーカ１７を備えているので、点字が読めない視覚障害者であっても、受信したメールの内容や入力した文書の内容を確認することができる。また、点字が読める人にとっては、点字による確認と音声による確認とで二重の確認をすることが可能となる。
【００３１】
また、本実施形態では、文書確定部１８２が設けられており、文書確定部１８２を押下した後でなければ入力に引き続く操作を行えないようになっている。そのため、ユーザは表示部１６に表示された入力内容を確認した上で、入力内容を送信可能な状態とすることが可能となる。この結果、入力ミスによる送信内容の誤入力や誤った相手先への送信を抑止することが可能となる。
【００３２】
なお、上記実施形態では、受信したメールの内容や入力したデータの内容の出力は表示部１６における点字表示のみとしたが、スピーカからの音声出力も併せて行うようにしてもよい。
【００３３】
上記実施形態ではタッチパネル１５１からの入力は１文字入力するたびに文字確定部１８１を押下して1文字の入力を確定したが、複数文字をごとに入力を確定するようにしてもよい。また、タッチパネル１５１からの入力は、点字入力だけでなく通常の文字入力もできるようにしてもよい。
【図面の簡単な説明】
【００３４】
【図１】本実施形態に係る点字表示機能付携帯通信機器の構成を示すブロック図である。
【図２】本実施形態に係る点字表示機能付携帯通信機器の正面図である。
【符号の説明】
【００３５】
１０…点字表示機能付携帯通信機器、１１…アンテナ、１２…無線部、１２１…送信部、１２２…受信部、１３…データ処理部、１４…記憶部、１４１…辞書、１４２…点字変換表、１５…入力部、１５１…タッチパネル、１５２…タッチペン、１６…表示部、１７…スピーカ、１８…操作部、１８１…文字確定部、１８２…文書確定部、１８３…送り部、１８４…戻し部、１８５…選択部、１８６…決定部、２０…設定用外部機器。
【図１】
2009031469.tif 000003
【図２】
2009031469.tif 000004